(57)【要約】【課題】ヒップポケットに物を収容させたとき、ポケット口が大きく開いた状態となることを防ぐことができる下衣を提供することを目的とする。【解決手段】  ズボン１は、その本体と、本体の後ろ身頃に設けられたヒップポケットを備え、ヒップポケットが、後ろ身頃に形成されたポケット口と、袋状に形成され、袋口１２がポケット口に縫い付けられているヒップポケット用袋布１０ａ、１０ｂと、を有し、本体においてこのヒップポケット用袋布１０ａ、１０ｂを支持するために、ヒップポケット用袋布１０ａ、１０ｂの上端部分に加え、このヒップポケット用袋布１０ａ、１０ｂの両側部分がズボン１の本体またはズボン１の本体の付属部材に縫着されている。【選択図】図３
2014152408.tif 000002
【特許請求の範囲】
【請求項１】
下衣本体と、
下衣本体の後ろ身頃に設けられたヒップポケットと、を備え、
前記ヒップポケットが、
前記下衣本体の後ろ身頃に形成されたポケット口と、
袋状に形成され、袋口が前記ポケット口に縫い付けられているヒップポケット用袋布と、を有し、
当該下衣本体において該ヒップポケット用袋布を支持するために、前記ヒップポケット用袋布の上端部分に加え、該ヒップポケット用袋布の両側部分が前記下衣本体または該下衣本体の付属部材に縫着されていることを特徴とする下衣。
【請求項２】
前記両側部分は、当該下衣の上下方向において、前記上端部分から前記ポケット口よりも下方となる位置まで前記下衣本体または該下衣本体の付属部材に縫着されていることを特徴とする請求項１に記載の下衣。
【請求項３】
前記ヒップポケット用袋布は、物を収容する袋本体部と、
前記袋本体部の上方に配置され、前記袋口が形成されている袋上部と、を備え、
前記袋上部は前記袋本体部よりも、当該下衣の左右方向に広がった形状となっており、
前記袋上部の両側部分と、該袋上部の上端部分とを、前記下衣本体または該下衣本体の付属部材に縫着することを特徴とする請求項２に記載の下衣。
【請求項４】
前記下衣本体の後ろ身頃において、２つのヒップポケットが左右方向に隣り合うように備えられており、
前記袋上部の前記両側部分のうち、一方の側部側は、隣り合う他のヒップポケット用袋布の側部側と重畳しており、他方の側部側は、前記下衣本体における後ろ身頃の身生地と前身頃の身生地との切替部分である脇線の縫い代と接するように配置されており、
前記一方の側部側を、前記下衣本体の付属部材である、重畳する前記他のヒップポケット用袋布の側部側に縫着し、前記他方の側部側を、前記下衣本体に形成された前記脇線の縫代に縫着することを特徴とする請求項３に記載の下衣。
【請求項５】
前記下衣本体の身生地は伸縮性を有することを特徴とする請求項１から４のいずれか１項に記載の下衣。
【発明の詳細な説明】
【技術分野】
【０００１】
本発明は、ズボンまたはスカートなどの下衣に関する。
【背景技術】
【０００２】
近年、運動性の向上や、穿き心地の向上を意図して、伸縮性に優れる素材を用いたズボンなどの下衣が販売されている。しかしながら、伸縮性の高い素材で縫製されたズボンを穿くと、体型が表に出て美観を損ねることがある。そこで、体型を補正することができるズボンが提案されている（例えば、特許文献１）。
【０００３】
特許文献１に開示されたズボンは、表地の内側において、後見頃のヒップ部から脇線を通り前身頃の一部を被う裏地を敷設している。そして、裏地と表地との間に紐や面ファスナーなどの係止具を介在させ、ウエストバンドと股下、脇縫い代に縫着して一体化させることで、ヒップアップ効果を出すように構成されている。
【先行技術文献】
【特許文献】
【０００４】
【特許文献１】特開２００７−２０４８８７号公報
【発明の概要】
【発明が解決しようとする課題】
【０００５】
しかしながら、従来のズボンでは、ヒップポケットに物を収容させたとき、そのポケット口が大きく開いた状態となることを防ぐことができない。
【０００６】
より具体的には、ズボンの後ろ身頃に設けられたヒップポケットに比較的重量のある物を収容し、運動すると、ヒップポケットの袋内を物が左右に動きながら、物の自重によってヒップポケットの袋布を鉛直方向に引っ張る。このとき、袋布の袋口が縫着されているポケット口周辺の身生地も一緒に引っ張られることとなる。特に身生地が伸縮性に優れる素材であればあるほど、この身生地は袋布とともに鉛直方向に大きく引っ張られ、結果的にヒップポケットのポケット口が大きく開いてしまう。
【０００７】
しかしながら、従来のズボンでは、このようにポケット口が開いてしまうことを防ぐために工夫された構成となっていない。
【０００８】
本発明は、このような事情に鑑みてなされたものであり、ヒップポケットに物を収容させたとき、ポケット口が大きく開いた状態となることを防ぐことができる下衣を提供することを目的とする。
【課題を解決するための手段】
【０００９】
本発明に係る下衣は、上記した課題を解決するために、下衣本体と、下衣本体の後ろ身頃に設けられたヒップポケットと、を備え、前記ヒップポケットが、前記下衣本体の後ろ身頃に形成されたポケット口と、袋状に形成され、袋口が前記ポケット口に縫い付けられているヒップポケット用袋布と、を有し、当該下衣本体において該ヒップポケット用袋布を支持するために、前記ヒップポケット用袋布の上端部分に加え、該ヒップポケット用袋布の両側部分が前記下衣本体または該下衣本体の付属部材に縫着されている。
【００１０】
ここで、下衣本体の付属部材とは、例えば、下衣本体において、隣り合って設けられた他のポケット、ウエストバンド等が挙げられる。
【００１１】
上記した構成によると、ヒップポケット用袋布の上端部分に加え、両側部分を、下衣本体または下衣本体の付属部材に縫着している。このため、従来のように上端部分のみを縫着してヒップポケット用袋布を支持する構成とは異なり、本発明に係る下衣では、ヒップポケット用袋布を、その両側部とその上端部とによって支持することができる。
【００１２】
それゆえ、ヒップポケット用袋布内に物が収容された状態で着用者が運動することでヒップポケット用袋布が左右方向に大きく振れてしまうことを軽減させることができる。さらに、ヒップポケット用袋布内に収容された物の重さによりこのヒップポケット用袋を鉛直方向下向きに引っ張るようにかかる力を小さくすることができる。
【００１３】
このため、ヒップポケット用袋布が左右に大きく揺れたり、鉛直方向下向きに大きく引っ張られたりすることで、ポケット口が形成されている下衣本体の身生地部分を下方に引っ張ってしまい、ポケット口が大きく開いてしまうことを防ぐことができる。
【００１４】
したがって、本発明に係る下衣は、ヒップポケットに物を収容させたとき、ポケット口が大きく開いた状態となることを防ぐことができるという効果を奏する。
【００１５】
また、本発明に係る下衣は、上記した構成において、前記両側部分は、当該下衣の上下方向において、前記上端部分から前記ポケット口よりも下方となる位置まで前記下衣本体または該下衣本体の付属部材に縫着されている構成であってもよい。
【００１６】
ここで下衣の上下方向とは、例えば、下衣のベルト位置から裾に向かう方向である。
【００１７】
上記した構成によると、両側部分においてヒップポケット用袋布の上端部分からポケット口よりも下方となる位置まで下衣本体または下衣本体の付属部材に縫着されている。
【００１８】
このため、ポケット口と縫い合わされている、ヒップポケット用袋布の袋口部分が左右方向に大きく振れることを防いだり、この袋口部分を下方に引っ張る力を小さくしたりすることができる。
【００１９】
したがって、ヒップポケット用袋布が左右に大きく振れたり、鉛直方向下向きに大きく引っ張られたりすることで、ポケット口が形成されている下衣本体の身生地部分を下方に引っ張ってしまい、ポケット口が大きく開いてしまうような事態を防ぐことができる。
【００２０】
また、本発明に係る下衣は、上記した構成において、前記ヒップポケット用袋布は、物を収容する袋本体部と、前記袋本体部の上方に配置され、前記袋口が形成されている袋上部と、を備え、前記袋上部は前記袋本体部よりも、当該下衣の左右方向に広がった形状となっており、前記袋上部の両側部分と、該袋上部の上端部分とを、前記下衣本体または該下衣本体の付属部材に縫着する構成であってもよい。
【００２１】
上記した構成によると、袋上部の方が袋本体部よりも左右方向に広がった形状となっているため、ヒップポケット用袋布を縫い合わせる下衣本体または下衣本体の付属部材が必ずしもこのヒップポケット用袋布の袋本体部と接近した位置になくても縫着することができる。また、袋上部を左右方向に広がった形状とすることで、縫着する上端部の寸法を大きくすることができるため、下衣においてより安定してヒップポケット用袋布を支持することができる。
【００２２】
また、本発明に係る下衣は、上記した構成において、前記下衣本体の後ろ身頃において、２つのヒップポケットが左右方向に隣り合うように備えられており、前記袋上部の前記両側部分のうち、一方の側部側は、隣り合う他のヒップポケット用袋布の側部側と重畳しており、他方の側部側は、前記下衣本体における後ろ身頃の身生地と前身頃の身生地との切替部分である脇線の縫い代と接するように配置されており、
前記一方の側部側を、前記下衣本体の付属部材である、重畳する前記他のヒップポケット用袋布の側部側に縫着し、前記他方の側部側を、前記下衣本体に形成された前記脇線の縫代に縫着するように構成されていてもよい。
【００２３】
上記した構成によれば、ヒップポケット用袋布の袋上部の一方の側部側を、重畳する他のヒップポケット用袋布の側部側に縫着し、他方の側部側を脇線の縫い代に縫着する。つまり、脇線部分から隣り合う他のヒップポケット用袋布まで、ヒップポケット用袋布の袋上部を介して連なった構造となっている。
【００２４】
このため、ヒップポケット用袋布では、特に、袋口が形成される袋上部が左右方向に大きく振れることを防いだり、この袋上部が下方に引っ張られる力を小さくしたりすることができる。
【００２５】
したがって、ヒップポケット用袋布が左右に大きく振れたり、鉛直方向下向きに大きく引っ張られたりすることで、ポケット口が形成されている下衣本体の身生地部分を下方に引っ張ってしまい、ポケット口が大きく開いてしまうような事態を防ぐことができる。
【００２６】
また、本発明に係る下衣は、上記した構成において、前記下衣本体の身生地は伸縮性を有してもよい。
【発明の効果】
【００２７】
本発明に係る下衣は、以上に説明したように構成され、ヒップポケットに物を収容させたとき、ポケット口が大きく開いた状態となることを防ぐことができるという効果を奏する。
【図面の簡単な説明】
【００２８】
【図１】本発明の実施の形態に係るズボンの一態様を示す正面図である。
【図２】図１に示すズボンの背面図である。
【図３】図１に示すズボンのライズ部分における内側の構成を示す図である。
【図４】図３におけるヒップポケット用袋布の形状を示す平面図である。
【発明を実施するための形態】
【００２９】
以下、本発明の実施形態によるズボン１の具体的な構成例について、図面を参照しながら説明する。なお、以下では全ての図面を通じて同一又は相当する要素には同一の参照符号を付して、その重複する説明を省略する。
【００３０】
（ズボンの概略構成）
図１、図２を参照してズボン１の概略構成について説明する。図１は、本発明の実施の形態に係るズボン１の一態様を示す正面図である。図２は、図１に示すズボン１の背面図である。なお、本明細書では、ズボン１を装着したときに着用者のウエスト側となる方を上方側とし、着用者の脚側（ズボンの裾側）となる方を下方側とする。
【００３１】
図１、２に示すように、本実施の形態に係るズボン１は、前身頃表地の両サイドに２つのサイドポケット２ａ、２ｂと、後ろ身頃に２つのヒップポケット３ａ、３ｂと、をそれぞれ設けた、脚部をすべて覆う、いわゆる長ズボンである。なお、ズボン１の前身頃と後ろ身頃とを合わせてズボン本体と称する。
【００３２】
また、ズボン１の前身頃の中央部分には、フライ４が設けられ前開き部分を被うようになっている。なお、この前開き部分は、図示しないジッパーまたはボタンにより開閉できるようになっている。
【００３３】
また、フライ４の上方には前ボタン６が設けられている。そして、前ボタン６によりウエストバンド５を留めると着用者のウエストラインに沿って囲むようにウエストバンド５は環状となる。このウエストバンド５部分には所定間隔ごとに複数のベルトループ７が設けられている。
【００３４】
ズボン１の表地（身生地）は、縦方向、横方向いずれにも伸縮可能な素材となっている。伸縮可能な素材としては、例えば、綿またはウールなどの天然繊維、レーヨンなどの再生繊維、アクリル系繊維またはポリエステル系繊維などの合成繊維などにポリウレタン弾性繊維（スパンデックス）を混用したストレッチ素材を利用することができる。
【００３５】
ところで、上述したようにズボン１では、ヒップポケット３ａまたはヒップポケット３ｂに物を収容した場合、この物の自重によってヒップポケット３ａまたはヒップポケット３ｂの袋布とともに後ろ身頃の身生地が下方に引っ張られポケット口が大きく開いてしまうという問題があった。特に、ズボン１が、ストレッチ素材を利用して縫製された場合、この問題は顕著となる。
【００３６】
そこで、本実施の形態に係るズボン１は、図３に示すようにズボン１の内側の縫製を工夫し、この問題を軽減させている。特に、ズボン１の内側において、ヒップポケット３ａの袋（ヒップポケット用袋布１０ａ）およびヒップポケット３ｂの袋（ヒップポケット用袋布１０ｂ）の縫着位置を工夫している。以下において、ズボン１の内側（裏地側）について図３、図４を参照してより詳細に説明する。
【００３７】
（ズボンの内側の構成）
図３は、図１に示すズボン１のライズ部分における内側の構成を示す図である。図４は、図３におけるヒップポケット用袋布１０の形状を示す平面図である。
【００３８】
図３では、ズボン１を前開き部分で開いて展開した状態を示している。このため、図３では、略中央部分に後ろ中心線２０が、両端部に前身頃の前開き部分が配置されることとなる。また、後ろ中心線２０と前開き部分との間には、前身頃と後ろ身頃との切替部分である脇線２１ａ、２１ｂがそれぞれ配置されている。
【００３９】
図３に示すように、ズボン１の内側には、ズボン１内にシャツをインした時の収まりを良くしたり、ズボン１のフィット感を高めたりするために、ズボン１の身頃の身生地とは異なる素材の帯状部材であるマーベルト８が取り付けられている。マーベルト８は、帯状に形成されたウエストバンド５の下方において、このウエストバンド５の長手方向に沿うように取り付けられている。
【００４０】
マーベルト８の下方には、後ろ中心線２０を基準にして右側にヒップポケット３ａの収容空間を形成するヒップポケット用袋布１０ａが、左側にヒップポケット３ｂの収容空間を形成するヒップポケット用袋布１０ｂがそれぞれ取り付けられている。また、ヒップポケット用袋布１０ａの右側には、サイドポケット２ａの収容空間を形成するサイドポケット用袋布１１ａが取り付けられ、ヒップポケット用袋布１０ｂの左側には、サイドポケット２ｂの収容空間を形成するサイドポケット用袋布１１ｂが取り付けられている。
【００４１】
すなわち、図３に示すように、後ろ中心線２０を基準にして左右対称に２つのヒップポケット用袋布１０ａ、１０ｂが隣り合うように配置され、各ヒップポケット用袋布１０ａ、１０ｂの前開き部分側にはサイドポケット用袋布１１ａ、１１ｂが配置されている。
【００４２】
（ヒップポケット用袋布）
ここで、図３において後ろ中心線２０の右側に配されるヒップポケット用袋布１０ａに着目して具体的にヒップポケット用袋布１０ａの構成および縫着位置を説明する。
【００４３】
ヒップポケット用袋布１０ａは、図３、図４に示すように、上方側が左右方向に大きく広がった袋形状をし、袋口１２がヒップポケット３ａのポケット口３０の開口形状に沿うように縫い付けられている。
【００４４】
すなわち、ヒップポケット用袋布１０ａは、物を収容する袋本体部１３と、この袋本体部１３の上方に配置され、ポケット口３０に縫い付けられる袋口１２が形成された袋上部１４とから構成されている。そして、袋本体部１３よりも袋上部１４の方が、上述したように左右方向に広がった形状、すなわち外周寸法が大きくなった形状となっている。
【００４５】
この袋上部１４の両側部（上方側部１４ａ、１４ｂ）部分（両側部分）と上端部１４ｃ部分（上端部分）とが、ズボン１を形成する他部材（ズボン本体またはズボン本体の付属部材）と縫い付けられることで、ズボン１においてポケット用袋布１０ａを支持することができる。なお、両側部部分または上端部１４ｃ部分とは、ポケット用袋布１０ａにおいて両側部または上端部１４ｃから有る程度の縫い代範囲を見込んだ領域を含むものである。
【００４６】
従来では上端部１４ｃ部分のみをウエストバンド５に縫着した構成であったが、本実施の形態に係るズボン１では、さらに両側部部分もズボン本体またはズボン本体の付属部品に縫着できる構成となっている。
【００４７】
より具体的には図３、４に示すように、ヒップポケット用袋布１０ａの左側の側部（上方側部１４ａ）部分が、後ろ中心線２０付近で、隣り合う他のヒップポケット用袋布１０ｂの側部（上方側部）部分と重畳している。図３に示す例では、ヒップポケット用袋布１０ａよりもヒップポケット１０ｂの方がよりズボン１の内側となるように重畳している。そして、ヒップポケット用袋布１０ａの上方側部１４ａ部分を、この重畳する他のヒップポケット用袋布１０ｂの上方側部部分に縫着する。
【００４８】
一方、上方側部１４ａとは反対側の側部となる上方側部１４ｂは、脇線２１ａの縫い代部分と接している。また、サイドポケット１１ａの側部もこの脇線２１ａの縫い代部分と接しており、上方側部１４ａは、このサイドポケット１１ａの側部とともにこの縫い代部分の身生地に縫着されている。
【００４９】
このように、ヒップポケット用袋布１０ａの両側部部分は、ズボン１の上下方向において、上端部１４ｃからポケット口３０ａに縫い付けられる袋口１２よりも下方となる位置まで、すなわち、上方側部１４ａ、１４ｂの範囲で他部材（ズボン本体またはズボン本体の付属部材）に縫いつけられることとなっている。
【００５０】
また、ヒップポケット用袋布１０ａの袋上部１４の上端部１４ｃは、マーベルト８と後ろ身頃の身生地との間に挿入されて、マーベルト８とともにこの後ろ身頃の身生地に縫着されている。また、特に図示していないが、マーベルト８とヒップポケット用袋布１０とも、重畳する部分において複数箇所で留められている。
【００５１】
以上のように、ヒップポケット用袋布１０ａは、上端部１４ｃ部分に加えて、その上方側部１４ａ、１４ｂ部分でもそれぞれ他部材（隣り合う他のヒップポケット用袋布１０ｂと脇線２１ａの縫い代部分など）に縫い付けられている。このため、ヒップポケット用袋布１０ａ内に収容された物が、着用者の運動によって左右に移動しても、この動きによってヒップポケット用袋布１０ａの、特に、ポケット口３に縫い付けられている袋口１２部分の周辺が左右に大きく振れてしまうことを防ぐことができる。
【００５２】
また、物が収容されているヒップポケット用袋布１０ａを、上端部１４ｃ部分だけではなく、上方側部１４ａ、１４ｂ部分でも支えることができるため、収容された物によりヒップポケット用袋布１０、特に、ポケット口３に縫い付けられている袋口１２部分の周辺を、鉛直方向下向きに引っ張る力を小さくすることができる。
【００５３】
また、上述したように袋上部１４が袋本体部１３よりも左右方向に広がった形状となっているため、他部材（ここではズボン本体におけるウエストバンド５）に縫着させる上方端部１４ｃの寸法が大きくなる。このため、ヒップポケット用袋布１０ａをより安定して支持することができる。
【００５４】
このように、ヒップポケット用袋布１０ａが左右に大きく振れることを防止させるとともに物の重さによりヒップポケット用袋１０を下方に引っ張る力を小さくさせることができるため、ヒップポケット用袋１０ａとともに後ろ身頃の身生地が引っ張られ、ポケット口３０ａが大きく開いてしまうような事態を防ぐことができる。
【００５５】
（変形例）
なお、本実施形態では、ズボン１として長ズボンを例に挙げてその裏側の構造について説明したが、ズボン１は長ズボンに限定されるものではなく、半ズボンであってもよい。また、ズボンに限定されるものではなくスカートなどの下衣であってもよい。
【００５６】
また、ズボン１は伸縮性を有する生地から縫製されたものを例に挙げ説明したが、必ずしも伸縮性を有する生地で縫製されたズボンに限定されるものではない。例えば、綿などで縫製されたズボンであってもよい。
【００５７】
また、本実施形態のズボン１は、後ろ身頃に２つのヒップポケット３ａ、３ｂ、前身頃に２つのサイドポケット２ａ、２ｂを有する構成であったがこれに限定されるものではない。例えば、ズボン１は、後ろ身頃に２つのヒップポケット３ａ、３ｂのみを備える構成であってもよいし、１つのヒップポケット３ａまたはヒップポケット３ｂのみを備える構成であってもよい。例えば、後ろ身頃に１つのヒップポケット３ａのみを備える構成の場合、ヒップポケット用袋布１０ａの上方側部１４ｂ側は上述したように脇線２１ａの縫い代部分に縫着されるが、上方側部１４ａ側は、さらに左右方向に延びた形状をしており、反対側の脇線２１ｂの縫い代部分に縫着するように構成してもよい。
【００５８】
また、本実施形態に係るズボン１では、上述したように、後ろ身頃のヒップポケット用袋布１０ａでは、上方側部１４ａ側を、隣接する他のヒップポケット用袋１０ｂの側部側に縫着していた。さらに、上方側部１４ｂ側を、脇線２１ａの縫い代部分に縫着していた。しかしながら、後ろ身頃の身生地の内側または前身頃の身生地の内側において、例えば、上方側部１４ａ側または上方側部１４ｂ側を縫着することができる程度に隆起した部分（縫い代として利用できる部分）があれば、直接、この後ろ身頃の身生地または前身頃の身生地にこれら上方側部１４ａ、１４ｂを縫着した構成としてもよい。
【００５９】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００６０】
本発明によれば、ヒップポケット３のポケット口が大きく開いてしまうことを防止することができる。特に、伸縮性の素材で縫製された、ヒップポケットを有するズボンやスカートなどの下衣において効果的に利用できる。
【符号の説明】
【００６１】
１      ズボン
２ａ    サイドポケット
２ｂ    サイドポケット
３ａ    ヒップポケット
３ｂ    ヒップポケット
４      フライ
５      ウエストバンド
６      前ボタン
７      ベルトループ
８      マーベルト
１０ａ  ヒップポケット用袋布
１０ｂ  ヒップポケット用袋布
１１ａ  サイドポケット用袋布
１１ｂ  サイドポケット用袋布
１２    袋口
１３    袋本体部
１４    袋上部
１４ａ  上方側部
１４ｂ  上方側部
１４ｃ  上端部
２０    後ろ中心線
２１ａ  脇線
２１ｂ  脇線
３０    ポケット口
【図１】
2014152408.tif 000003
【図２】
2014152408.tif 000004
【図３】
2014152408.tif 000005
【図４】
2014152408.tif 000006